(57)【特許請求の範囲】
【請求項１】
ディスプレイパネルと、
該ディスプレイパネルの一側端部に接続され、第１面を有するＣＯＦフロント部と、該ＣＯＦフロント部から該ＣＯＦフロント部の延長方向と交差する方向に前記ディスプレイパネルの後方に向かって延び、第２面を有するＣＯＦサイド部とを含む、ＣＯＦ（Ｃｈｉｐ  Ｏｎ  Ｆｉｌｍ）と、
前記ＣＯＦフロント部の前方で前記ＣＯＦフロント部を覆うように設けられ、前記第１面と対向する第３面を含むＣＯＦカバーフロント部と、該ＣＯＦカバーフロント部から該ＣＯＦカバーフロント部の延長方向と交差する方向に前記ディスプレイパネルの後方に向かって延び、前記第２面と対向する第４面を含むＣＯＦカバーサイド部とを含む、ＣＯＦカバーと、
該ＣＯＦカバーを前記ディスプレイパネルの前記一側端部に接着する接着物質であって、接着物質の一部は、前記ディスプレイパネルの前記一側端部で、前記ＣＯＦの一端と前記第３面との間の空間を埋めるように設けられ、接着物質の残部は、前記第１面と前記第３面との間の空間及び前記第２面と前記第４面との間の空間を埋めるように設けられる、接着物質とを含む、
パネルモジュール。
【請求項２】
前記接着物質は光硬化性樹脂で形成される、請求項１に記載のパネルモジュール。
【請求項３】
前記ディスプレイパネルは、平板状の第１ガラス基板と、平板状に形成されて前記第１ガラス基板の前方側に配置される第２ガラス基板と、前記第１ガラス基板と前記第２ガラス基板の間に形成される液晶層と、前記第１ガラス基板の後面に配置される第１偏光フィルタと、前記第２ガラス基板の前面に配置される第２偏光フィルタを含み、
前記ＣＯＦカバーの前面は前記第２偏光フィルタの前面と同一面を形成する、
請求項１に記載のパネルモジュール。
【請求項４】
前記ＣＯＦカバーフロント部は、一端が前記第２偏光フィルタと接するように設けられ、前記ＣＯＦカバーサイド部は、前記ＣＯＦカバーフロント部の他端から後方側に延びるように設けられる、請求項３に記載のパネルモジュール。
【請求項５】
前記接着物質は、前記第１ガラス基板の一端および前記第２ガラス基板の一端と前記ＣＯＦカバーフロント部および前記ＣＯＦカバーサイド部の内側面によって形成される空間を満たした状態で硬化され得る、請求項４に記載のパネルモジュール。
【請求項６】
前記ＣＯＦの他端に連結されるソース印刷回路基板をさらに含む、請求項１に記載のパネルモジュール。
【請求項７】
前記ソース印刷回路基板は前記ディスプレイパネルの後方側に離隔して配置され、
前記ＣＯＦはＵ字状にベンディングされてその前端が前記ディスプレイパネルの一側端部に連結され、その後端が前記ソース印刷回路基板に連結される、
請求項６に記載のパネルモジュール。
【請求項８】
前記ＣＯＦカバーは金属材質で形成される、請求項１に記載のパネルモジュール。
【請求項９】
請求項１〜請求項８のいずれか一項に記載されたパネルモジュールを含む、ディスプレイ装置。
【請求項１０】
前記ディスプレイパネルは、第１ガラス基板と、前記第１ガラス基板の前方側に配置される第２ガラス基板と、前記第１ガラス基板と前記第２ガラス基板の間に形成される液晶層と、前記第１ガラス基板の後面に配置される第１偏光フィルタと、前記第２ガラス基板の前面に配置される第２偏光フィルタを含み、
前記ＣＯＦカバーの前面は前記第２偏光フィルタの前面と同一面に位置する、
請求項９に記載のディスプレイ装置。
【請求項１１】
前記ディスプレイパネルはその両側端部が前方側に突出するように屈曲して変形され、
前記ＣＯＦカバーは前記ディスプレイパネルと対応するようにその両側端部が前方側に突出するように屈曲して変形される、
請求項９に記載のディスプレイ装置。
【請求項１２】
前記ディスプレイパネルの外郭側と前記ＣＯＦカバーを支持するフレームケースをさらに含み、
前記フレームケースは、その内側に突出して前記ディスプレイパネルの後面の外郭側に付着される支持部を含む、
請求項９に記載のディスプレイ装置。
【請求項１３】
前記ディスプレイパネルの外郭側と前記ＣＯＦカバーを支持するフレームケースをさらに含み、
前記フレームケースはその両側端部が前方側に突出するように屈曲し、
前記ディスプレイパネルおよび前記ＣＯＦカバーは前記フレームケースによって支持され、その両側端部が前方側に突出するように屈曲して変形される、
請求項９に記載のディスプレイ装置。
【請求項１４】
前記ディスプレイパネルの後方側に配置されたボトムシャーシと、
前記ボトムシャーシの後方側に配置されるソース印刷回路基板をさらに含み、
前記ＣＯＦの他端が前記ソース印刷回路基板に連結される、
請求項６又は７に従属するときの請求項９に記載のディスプレイ装置。
【発明の詳細な説明】
【技術分野】
【０００１】
例示的な実施例に係る方法と装置は、ディスプレイパネルの外郭に形成されるベゼルを最小化できるようにした、パネルモジュールおよびこれを有するディスプレイ装置に関する。
【０００２】
本願は、２０１６年１２月２８日に韓国特許庁に出願した韓国特許出願番号第０−２０１６−０１８１１３６号の優先権を主張し、その全文は本願に参考として援用される。
【背景技術】
【０００３】
ディスプレイ装置は、画像信号の伝達を受けて画面を表示する装置であって、テレビジョン（Ｔｅｌｅｖｉｓｉｏｎ）、モニターなどがこれに含まれる。
【０００４】
ディスプレイ装置は画面を表示するディスプレイパネルを含み、液晶を通じて色相を表現する液晶ディスプレイパネルがある。
【０００５】
液晶ディスプレイパネルは、平板状に形成された一対のガラス基板と、両ガラス基板の間に配置された液晶を含み、このような液晶ディスプレイパネルには、ＣＯＦ（Ｃｈｉｐ  Ｏｎ  Ｆｉｌｍ）を通じてソース印刷回路基板が連結されて、液晶ディスプレイパネルがＣＯＦを通じてソース印刷回路基板の画像信号の伝達を受けることができるようになっている。
【発明の概要】
【発明が解決しようとする課題】
【０００６】
例示的な実施例は、ディスプレイパネルの外側を支持するベゼルの幅を最小化できるようにする、パネルモジュールおよびこれを有するディスプレイ装置を提供することである。
【課題を解決するための手段】
【０００７】
例示的な一実施例の一態様によると、ディスプレイパネルと、一端が前記ディスプレイパネルの一側端部に連結されるＣＯＦ（Ｃｈｉｐ  Ｏｎ  Ｆｉｌｍ）と、前記ＣＯＦの一端を覆い、その前面が前記ディスプレイパネルの前面と同一面を形成するＣＯＦカバーを含むパネルモジュールとディスプレイ装置を提供する。
【０００８】
パネルモジュールは、前記ＣＯＦカバーを前記ディスプレイパネルに接着するように構成された接着物質をさらに含むことができる。
【０００９】
また、前記接着物質は光硬化性樹脂で形成され得る。
【００１０】
ディスプレイパネルは、平板状の第１ガラス基板と、平板状に形成されて前記第１ガラス基板の前方側に配置される第２ガラス基板と、前記第１ガラス基板と前記第２ガラス基板の間に形成される液晶層と、前記第１ガラス基板の後面に配置される第１偏光フィルタと、前記第２ガラス基板の前面に配置される第２偏光フィルタを含み、前記ＣＯＦカバーの前面は前記第２偏光フィルタの前面と同一面を形成する。
【００１１】
ＣＯＦカバーは、一端が前記第２偏光フィルタと接するフロント部と、前記フロント部の他端から後方側に延びたサイド部を含む。
【００１２】
前記接着物質は、前記第１ガラス基板の一端および前記第２ガラス基板の一端と前記フロント部および前記サイド部の内側面によって形成される空間を満たした状態で硬化される。
【００１３】
パネルモジュールは、前記ＣＯＦの他端に連結されるソース印刷回路基板をさらに含む。
【００１４】
前記ソース印刷回路基板は前記ディスプレイパネルの後方側に離隔して配置され、前記ＣＯＦはＵ字状にベンディングされてその前端が前記ディスプレイパネルの一側端部に連結され、その後端が前記ソース印刷回路基板に連結される。
【００１５】
前記ＣＯＦカバーは金属材質で形成される。
【００１６】
ディスプレイパネルは、第１ガラス基板と、第１ガラス基板の前方側に配置される第２ガラス基板と、第１ガラス基板と第２ガラス基板の間に形成される液晶層と、第１ガラス基板の後面に配置される第１偏光フィルタと、第２ガラス基板の前面に配置される第２偏光フィルタを含み、ＣＯＦカバーの前面は第２偏光フィルタの前面と同一面を形成する。
【００１７】
ディスプレイパネルはその両側端部が前方側に突出するように屈曲して変形され、前記ＣＯＦカバーは前記ディスプレイパネルと対応するようにその両側端部が前方側に突出するように屈曲して変形される。
【００１８】
ディスプレイ装置は、カバーとディスプレイパネルの外郭側を支持するように構成されたフレームケースをさらに含み、フレームケースはその内側に突出して前記ディスプレイパネルの後面の外郭側に付着する支持部を含む。
【００１９】
ディスプレイ装置は、カバーとディスプレイパネルの外郭側を支持するように構成されたフレームケースをさらに含み、前記フレームケースはその両側端部が前方側に突出するように屈曲し、前記ディスプレイパネルおよび前記ＣＯＦカバーは前記フレームケースによって支持され、その両側端部が前方側に突出するように屈曲して変形される。
【００２０】
ディスプレイ装置は、前記ディスプレイパネルの後方側に配置されたボトムシャーシをさらに含み、前記ソース印刷回路基板は前記ボトムシャーシの後方側に配置され、ＣＯＦの他端はソース印刷回路基板に連結される。
【発明の効果】
【００２１】
前述から明白であるように、ＣＯＦカバーによってディスプレイパネルの一側端部に連結されたＣＯＦの一端が覆われて塞がれるためベゼルがＣＯＦの一端を塞ぐ必要がなくなり、ベゼルの幅が最小化したディスプレイ装置を具現することができる。
【図面の簡単な説明】
【００２２】
【図１】例示的な一実施例に係るディスプレイ装置の斜視図。
【図２】例示的な一実施例に係るディスプレイ装置の正面分解斜視図。
【図３】例示的な一実施例に係るディスプレイ装置の背面分解斜視図。
【図４】例示的な一実施例に係るディスプレイ装置の断面図。
【図５】例示的な一実施例に係る図４のＡ部拡大図。
【図６】例示的な一実施例に係る図４のＢ部拡大図。
【図７】例示的な一実施例に係るディスプレイ装置において、フレームケースの補強部材およびカバー部材の設置を示した斜視図。
【図８】例示的な一実施例に係るディスプレイ装置において、パネルモジュールの構成を示した断面斜視図。
【図９】例示的な一実施例に係るディスプレイ装置において、ディスプレイパネルにＣＯＦが付着される過程を示した概略図。
【図１０】例示的な一実施例に係るディスプレイ装置において、ディスプレイパネルにＣＯＦが付着される過程を示した概略図。
【図１１】例示的な一実施例に係るディスプレイ装置において、ディスプレイパネルにＣＯＦが付着される過程を示した概略図。
【図１２】例示的な一実施例に係るディスプレイ装置において、ディスプレイパネルにＣＯＦが付着される過程を示した概略図。
【発明を実施するための形態】
【００２３】
後述され、図面に図示された例示的な実施例のは例示に過ぎず、例示的な実施例と図面を多様に変形することができる。
【００２４】
また、本明細書の図面で提示された同一番号または符号は、実質的に同じ機能を遂行する構成要素または要素を示す。
【００２５】
また、本明細書で使用した用語は例示的な実施例を説明するために使用されたものであって、本開示内容を限定しない。本願で使用されるように、単数の表現（「一つの」、「一つ」、「その」）は、文脈上明白に異なることを意味しない限り、複数の表現を含もうとしたものである。また、本明細書で、「含む」、「具備する」および／または「有する」等の用語は、明細書上に記載された特徴、数字、段階、動作、要素、構成養子および／またはこれらのグループが存在することを指定しようとするものであって、一つまたはそれ以上の他の特徴、数字、段階、動作、要素、構成要素および／またはこれらのグループの存在または付加の可能性をあらかじめ排除しないことが理解されるべきである。
【００２６】
また、「および／または」という用語は、複数の関連した列挙項目のうち一つ以上または複数の関連した列挙項目のうち任意のすべての項目を含む。
【００２７】
また、「上部」、「下部」、「上端」および「下端」等の用語は図面を基準として定義したものであって、この用語によって各構成要素の形状および位置が制限されるものではない。
【００２８】
以下、例示的な一実施例に係るディスプレイ装置を図面を参照して詳細に説明する。
【００２９】
図１に図示した通り、例示的な一実施例に係るディスプレイ装置は、画面が表示されるディスプレイユニット１と、ディスプレイユニット１を支持するスタンド２を含む。例示的な一実施例によると、ディスプレイユニット１は、その両側端部が前方側に突出した屈曲した形態に形成される。
【００３０】
ディスプレイユニット１は図２および図３に図示した通り、画面が表示されるディスプレイパネル１１を含むパネルモジュール１０と、ディスプレイパネル１１の後方側に配置されてディスプレイパネル１１に光を供給するバックライト２０と、ディスプレイパネル１１とバックライト２０の間に配置されてバックライト２０から供給された光の光学特性を改善する光学シート３０を含む。光学シート３０は、道光板２１から前方側に放出される光を受信および拡散するように構成された拡散木シート３１、および拡散器シート３１の前方に配置され高輝度プリズムシートであるＤＢＥＦ（Ｄｕａｌ  Ｂｒｉｇｈｔｎｅｓｓ  Ｅｎｈａｎｃｅｍｅｎｔ  Ｆｉｌｍ；ＤＢＥＦ）シート３２を含む。
【００３１】
また、ディスプレイユニット１は、ディスプレイパネル１１の外郭側を支持するフレームケース４０と、バックライト２０を収容および支持するボトムシャーシ５０と、ボトムシャーシ５０の外郭側に結合されて光学シート３０を支持するミドルモールド６０と、ボトムシャーシ５０の後方側を覆うように設置されてディスプレイユニット１の後面を形成するリアケース７０を含む。フレームケース４０は、その下部の内側に結合された補強部材４１、および補強部材４１の中心に結合され、棒状部材の分離された端部のすべてを覆うように構成されたカバー部材４２を含む。ディスプレイパネル１１の下部を支持するように構成されたミドルフロント６１はミドルモジュール６０の前方側に結合される。
【００３２】
パネルモジュール１０は、ディスプレイパネル１１と、ディスプレイパネル１１を制御するソース印刷回路基板１２と、ディスプレイパネル１１とソース印刷回路基板１２を連結する複数のＣＯＦ（１３、Ｃｈｉｐ  Ｏｎ  Ｆｉｌｍ）を含む。
【００３３】
図４は、例示的な一実施例に係るディスプレイ装置の断面図である。
【００３４】
図５は、例示的な一実施例に係る図４のＡ部拡大図である。
【００３５】
図６は、例示的な一実施例に係る図４のＢ部拡大図である。
【００３６】
ディスプレイパネル１１は図４〜図６に図示した通り、四角平板状に形成された第１ガラス基板１１ａと、四角平板状に形成されて第１ガラス基板１１ａの前方側に配置される第２ガラス基板１１ｂと、第１ガラス基板１１ａと第２ガラス基板１１ｂの間に配置される液晶層を含む。
【００３７】
また、ディスプレイパネル１１は、第１ガラス基板１１ａの後面に配置される第１偏光フィルタ１１ｃと、第２ガラス基板１１ｂの前面に配置される第２偏光フィルタ１１ｄを含み、第２偏光フィルタ１１ｄの前面がディスプレイパネル１１の前面を形成する。
【００３８】
第１ガラス基板１１ａの下端は第２ガラス基板１１ｂの下端に対して段差を有して形成されて、第１ガラス基板１１ａの下端側の前面が前方側に露出し、第２ガラス基板１１ｂは第２偏光フィルタ１１ｄに対して段差を有して形成されて第２ガラス基板１１ｂの下端側の前面は前方側に露出する。
【００３９】
したがって、ディスプレイパネル１１の下端には、第２偏光フィルタ１１ｄと第２ガラス基板１１ｂの間に形成される段差と、第２ガラス基板１１ｂと第１ガラス基板１１ａの間に形成される段差が存在する。
【００４０】
ディスプレイパネル１１の外郭側には画面が表現されない非活性領域が形成されるため、このようなディスプレイパネル１１の非活性領域を通じてバックライト２０の光が漏洩することを防止できるように、第１ガラス基板１１ａと第２ガラス基板１１ｂの間にはブラックマスク（Ｂｌａｃｋ  Ｍａｓｋ、）が形成される。
【００４１】
ソース印刷回路基板１２はディスプレイパネル１１の後方側から離隔して配置され、ＣＯＦ１３は略Ｕ字状にベンディングされてディスプレイパネル１１とソース印刷回路基板１２を連結する。このように、ソース印刷回路基板１２をディスプレイパネル１１の後方側に配置させることによって、フレームケース４０により形成されるディスプレイ装置のベゼルを最小化することができる。
【００４２】
また、図３に図示した通り、パネルモジュール１０は、ボトムシャーシ５０の下部の後方側に左右に並んで配置された二つのソース印刷回路基板１２を含み、二つのソース印刷回路基板１２は複数のＣＯＦ１３を通じてディスプレイパネル１１に連結される。
【００４３】
複数のＣＯＦ１３は図８に図示した通り、フィルム形態に形成されるフィルム印刷回路基板１３ａとフィルム印刷回路基板１３ａに装着された半導体チップ１３ｂをそれぞれ含む。フィルム印刷回路基板１３ａの一端がディスプレイパネル１１の下端側に連結され、フィルム印刷回路基板１３ａの他端がソース印刷回路基板１２に連結されて、画像信号をソース印刷回路基板１２からディスプレイパネル１１に伝達する。
【００４４】
ＣＯＦ１３の一端は第１ガラス基板１１ａの露出した下部側の前面に連結されるため、ＣＯＦ１３の一端も前方側に露出する。
【００４５】
したがって、パネルモジュール１０はディスプレイパネル１１の下部に連結されたＣＯＦ１３の一端を覆って塞ぐＣＯＦカバー１４を含む。
【００４６】
ＣＯＦカバー１４は、十分な剛性を有して変形が少なく発生し得るように金属材質で形成され、ディスプレイパネル１１の下端と対応するように左右に長く延びる。例示的な一実施例によると、ＣＯＦカバー１４はステンレススチール材質の金属板によって形成される。
【００４７】
ＣＯＦカバー１４は、その前面がディスプレイパネル１１の前面を形成する第２偏光フィルタ１１ｄの前面と同一面を形成して、ＣＯＦカバー１４がディスプレイパネル１１と共にディスプレイユニット１の前面を形成する。
【００４８】
ＣＯＦカバー１４は、第２偏光フィルタ１１ｄの厚さ以下の厚さを有し、その上端がディスプレイパネル１１の第１偏光フィルタ１１ｃの下端と接するフロント部１４ａと、フロント部１４ａの下端から後方側に延びたサイド部１４ｂを含む。
【００４９】
フロント部１４ａは、その前面が第１偏光フィルタ１１ｃの前面と同一面を形成してＣＯＦ１３の一端を覆って塞ぎ、サイド部１４ｂはＣＯＦカバー１４の下部が後方側にベンディングされて形成される。
【００５０】
また、ＣＯＦカバー１４は、第２ガラス基板１１ｂと第２偏光フィルタ１１ｄの間に形成される段差と、第１ガラス基板１１ａと第２ガラス基板１１ｂの間の段差を覆って塞ぐ役割も遂行する。
【００５１】
ＣＯＦカバー１４は、接着物質１５を通じて第１ガラス基板１１ａおよび第２ガラス基板１１ｂに付着してディスプレイパネル１１の下端に付着する。
【００５２】
接着物質１５は、第１ガラス基板１１ａおよび第２ガラス基板１１ｂの下端とＣＯＦカバー１４の間に形成される空間を満たすように塗布された後、硬化しながらＣＯＦカバー１４をディスプレイパネル１１の下端に固定してＣＯＦカバー１４がディスプレイパネル１１の下端のように見えるようにする。
【００５３】
例示的な一実施例によると、接着物質１５は、光硬化性樹脂、特に紫外線硬化性樹脂で形成される。
【００５４】
バックライト２０は、四角板状に形成された導光板２１と、導光板２１の下端と対向配置されて光を発生させる光源２２と、導光板２１の後面に配置されて光を反射する白色の反射シート２３を含む。また、反射シート２３の後面の下部には光源２２で発生した熱を拡散させて容易に放熱されるようにする放熱パネル２４が配置される。
【００５５】
再び図５および図６を参照すると、光源２２は導光板２１の下端と対応するように左右に長く延びた印刷回路基板２２ａと、印刷回路基板２２ａに左右に互いに離隔して配置されて光を発生させる複数の発光ダイオード２２ｂを含む。
【００５６】
光学シート３０には導光板２１から前方側に出射した光の伝達を受けて拡散させる拡散器シート３１と、拡散器シート３１の前方側に配置され、高輝度プリズムシートであるＤＢＦ（Ｄｕａｌ  Ｂｒｉｇｈｔｎｅｓｓ  Ｅｎｈａｎｃｅｍｅｎｔ  Ｆｉｌｍ、ＤＢＥＦ）シート３２が含まれる。
【００５７】
フレームケース４０は、四角のリング状に形成され、四角板状に形成されたディスプレイパネル１１の外郭側とＣＯＦカバー１４のサイド部１４ｂを支持する。フレームケース４０は、その両側端部が前方側に突出するように屈曲して形成される。このようなフレームケース４０はディスプレイパネル１１を支持するため、ディスプレイパネル１１は平板状に形成され、フレームケース４０に設置され、フレームケースによって支持される過程で、ディスプレイパネル１１がフレームケース４０と対応するようにその両側端部が前方側に突出するように屈曲して変形される。
【００５８】
フレームケース４０は、ディスプレイパネル１１の外側端を包み込むように配置されてディスプレイユニット１のベゼルを形成するフレーム部４０ａと、フレーム部４０ａから内側に突出してディスプレイパネル１１の後面の外郭を支持する支持部４０ｂを含む。また、支持部４０ｂの後面には、後方側に突出して導光板２１の前面を支持する突起が形成される。本実施例でこのような支持部４０ｂは、フレームケース４０の上部および両側部にそれぞれ形成されて、支持部４０ｂの前面にディスプレイパネル１１の後面の上部および両側部の外郭側が両面テープなどの接着手段を通じて付着され、支持部４０ｂの後面から突出した突起が導光板２１の前面の上部および両側の外郭を支持する。
【００５９】
例示的な一実施例によると、フレームケース４０は、金属材質で形成された棒状部材を製造した後、棒状部材の両終端が互いに対向するようにベンディングして屈曲した四角のリング状を形成するようにする。例示的な一実施例によると、棒状部材の両終端は、フレームケース４０の下部の中央側で互いに離隔した状態で対向する。
【００６０】
「棒状」という表現は長さを有する構成要素を表現するためのものであって、その断面の形状は四角形、円形および楕円やこれらの組み合わせによって多様な形態に形成され得る。
【００６１】
また、フレームケース４０は図７に図示した通り、その下部の内側に結合される補強部材４１と、補強部材４１の中央側に結合されて離隔した棒状部材の両終端の間を覆うカバー部材４２を含む。
【００６２】
補強部材４１はフレームケース４０の下部の強度を補強するように構成される。前述した通り、フレームケース４０を形成する棒状部材の両終端はフレームケース４０の下部の中央側で互いに離隔した状態であるため、フレームケース４０の下部はフレームケース４０の残りの部位に比べて相対的に低い強度を有する。したがって、補強部材４１がフレームケース４０の下部の内側に結合されてフレームケース４０の下部の強度を補強する。
【００６３】
カバー部材４２は、補強部材４２の中央に設置されてフレームケース４０を形成する棒状部材の両終端間の空間を覆って塞ぐ。カバー部材４２は棒状部材の両終端の間の空間を覆うカバー部４２ａと、カバー部４２ａの下端から後方側に延びて補強部材４１に結合される結合部４２ｂを含む。この時、カバー部４２ａの前面には製品のロゴが表示されるため、カバー部４２ａがロゴパネルとして使用され得る。
【００６４】
ミドルモールド６０は棒状に形成されてボトムシャーシ５０の下部に結合され、図６に図示した通り、ボトムシャーシ５０に結合されるシャーシ結合部６０ａと、シャーシ結合部６０ａから上側に延びて導光板２１の前面を支持する導光板支持部６０ｂを含む。導光板支持部６０ｂの後面には、後方側に突起が突出して導光板２１の前面の下部を支持する。
【００６５】
ミドルモールド６０の前方側には、ディスプレイパネル１１の下部を支持するミドルフロント６１が結合される。ミドルフロント６１は金属材質で形成されて略Ｌ字状の断面を有するように形成され、その前面がディスプレイパネル１１の後端側の下面を支持する。例示的な一実施例によると、ディスプレイパネル１１の後面の下部は、ミドルフロント６１の前面に両面テープＴを通じて付着される。また、このようなミドルフロント６１はミドルモールド６０とともに光学シート３０の下端を支持する役割も遂行する。
【００６６】
ボトムシャーシ５０は、前面が開放した略箱体状に形成されて内部に前述したバックライト２０を収容する。例示的な一実施例によると、ボトムシャーシ５０はその両側端部が前方側に突出するように屈曲した形態に形成され、前述した導光板２１は平板状に形成されるが、ボトムシャーシ５０に設置されボトムシャーシによって支持される過程で、道光板２１がボトムシャーシ５０と対応するようにその両側端部が前方側に突出するように屈曲して変形される。
【００６７】
また、ボトムシャーシ５０の後面にはディスプレイ装置の動作を制御するための各種印刷回路基板が配置され得る。このような印刷回路基板には、ディスプレイユニット１に電源を供給する電源基板と、ディスプレイパネル１１を駆動するパネル駆動基板と、ディスプレイパネル１１に画像信号を伝達するタイミングコントロール基板と、画像信号および音信号を処理する信号処理基板が含まれる。
【００６８】
リアケース７０は、ボトムシャーシ５０の後方側を覆うように設置されてボトムシャーシ５０の後面に設置された印刷回路基板を覆って塞ぐ。
【００６９】
以下では、ＣＯＦカバー１４をディスプレイパネル１１の下端に付着する過程を説明する。
【００７０】
まず、図９に図示した通り、平板状のダイ（Ｄ、Ｄｉｅ）の上面にＣＯＦ１３の一端が連結されたディスプレイパネル１１を載置した後、ＣＯＦ１３のフィルム印刷回路基板１３ａを上側にベンディングする。次いで、図１０に図示した通り、ＣＯＦカバー１４をダイＤ上に載置すると、ディスプレイパネル１１の前面（すなわち、第２偏光フィルタの前面）とＣＯＦカバー１４の前面がダイＤの上面に接して同一面上に位置する。
【００７１】
この時、ディスプレイパネル１１の下端、より詳細には第２偏光フィルタ１１ｄの下端（図面では第２偏光フィルタ１１ｄの右側端）とＣＯＦカバー１４の上端（図面ではＣＯＦカバー１４のフロント部１４ａの左側端）を互いに接触するように配置する。
【００７２】
引き続き、図１１に図示した通り、ディスプレイパネル１１の下端とＣＯＦカバー１４の間に形成される空間、より詳細には、第１ガラス基板１１ａおよび第２ガラス基板１１ｂの下端とフロント部１４ａの後面およびサイド部１４ｂの上面の間の空間に接着物質を塗布して満たした後、図１２に図示した通り、紫外線ランプＬを通じて接着物質１５に紫外線光を照射すると、接着物質１５が硬化しながらディスプレイパネル１１の下端にＣＯＦカバー１４が接着されて固定される。
【００７３】
前述した通り、ディスプレイパネル１１の前面とＣＯＦカバー１４の前面が同一平面に位置した状態で、接着物質１５を通じてＣＯＦカバー１４がディスプレイパネル１１に付着されるため、第２偏光フィルタ１１ｄの前面とＣＯＦカバー１４の前面は同一面を形成し、ディスプレイパネル１１の下部に連結されたＣＯＦ１３の一端はディスプレイパネル１１の下端に付着されたＣＯＦカバー１４により塞がれて見えなくなる。
【００７４】
関連技術のディスプレイ装置の場合、ディスプレイパネル１１に連結されるＣＯＦ１３の一端を塞ぐために、ベゼル（ｂｅｚｅｌ）の幅を一定以上に形成しなければならない。しかし、例示的な一実施例によると、ＣＯＦカバー１４によりディスプレイパネル１１の下端が形成されるようにすれば、ＣＯＦ１３の一端を塞ぐ必要がなくなるため、ベゼルの幅を大幅に減らすことができ、それによりベゼルの幅が最小化したディスプレイ装置を具現することができる。
【００７５】
例示的な一実施例によると、ＣＯＦ１３はディスプレイパネル１１の下端に連結され、ＣＯＦカバー１４はＣＯＦ１３が連結された部位と対応するようにディスプレイパネル１１の下端に付着されるが、これは一例に過ぎず、ＣＯＦカバー１４はディスプレイパネル１１においてＣＯＦ１３が連結された部位と対応する部位に付着され得る。
【００７６】
すなわち、ＣＯＦ１３がディスプレイパネル１１の上端と連結されるようにする場合、ＣＯＦカバー１４はディスプレイパネル１１の上端に付着され得、ＣＯＦ１３がディスプレイパネル１１の上端および下端に連結される場合、ＣＯＦカバー１４はディスプレイパネル１１の上端および下端に付着され得る。
【００７７】
また、ＣＯＦ１３はディスプレイパネル１１の左側端部および右側端部に連結され得、このような場合、ＣＯＦカバー１４はディスプレイパネル１１の左側端部および右側端部にそれぞれ付着され得る。
【００７８】
また、例示的な一実施例によると、第１ガラス基板１１ａの下端と第２ガラス基板１１ｂの下端の間と、第２ガラス基板１１ｂの下端と第２偏光フィルタ１１ｄの下端の間に段差が存在するが、これは一例に過ぎず、段差が存在しない場合にも、第１ガラス基板１１ａまたは第２ガラス基板１１ｂに連結されたＣＯＦの一端を覆うようにＣＯＦカバー１４が配置されてもよい。
【００７９】
また、例示的な一実施例によると、ディスプレイパネル１１は液晶パネルで形成されているが、これは一例に過ぎず、ディスプレイパネル１１が有機発光ダイオードパネルで形成される場合にも本発明のＣＯＦカバーが適用され得る。
【００８０】
例示的な一実施例によると、ソース印刷回路基板１２はボトムシャーシ５０の後方側に配置されるが、これはフレームケース４０により形成されるベゼルを薄く形成するための一例であって、ソース印刷回路基板１２はこれに限定されず、有機発光ダイオードパネルからなるディスプレイパネル１１とボトムシャーシ５０の間に配置されるようにすることも可能である。また、場合によってはソース印刷回路基板１２がディスプレイパネル１１の外側端とフレームケース４０の内面の間に配置されるようにしてもよい。
【００８１】
また、例示的な一実施例によると、ＣＯＦカバー１４が、両側端部が前方側に突出するように屈曲して変形されたディスプレイパネル１１に適用された例を説明したが、ＣＯＦカバー１４はこれに限定されず、平板の形態に維持されるディスプレイパネルにも適用され得る。
【００８２】
本発明の権利範囲は前述した例示的な実施例に限定されるものではない。特許請求の範囲に明示された本発明の技術的思想としての要旨を逸脱しない範囲内で、当分野で通常の知識を有する者によって修正または変形可能な多様な他の実施例も本発明の権利範囲に属するものと言える。
【図１】
0006864100.tif 000002
【図２】
0006864100.tif 000003
【図３】
0006864100.tif 000004
【図４】
0006864100.tif 000005
【図５】
0006864100.tif 000006
【図６】
0006864100.tif 000007
【図７】
0006864100.tif 000008
【図８】
0006864100.tif 000009
【図９】
0006864100.tif 000010
【図１０】
0006864100.tif 000011
【図１１】
0006864100.tif 000012
【図１２】
0006864100.tif 000013